(57)【特許請求の範囲】
【請求項１】
一本の傘紐（ｕ）に取り付けることができるものであって、湾曲可能な材料からなっていて湾曲しているストラップ本体（１）の両端のうちのいずれか一方の端部に、傘紐（ｕ）を通すための孔（２ａ）と、ストラップ本体（１）の他端付近に、ストラップ本体（１）の湾曲部（３）の外側に添わせた後の傘紐（ｕ）の余端部（ｕ２）をストラップ本体（１）の外側から内側へ通すための孔（２ｂ）とを、形成したことを特徴とする傘紐用ストラップ。
【請求項２】
ストラップ本体（１）の孔（２ａ）より奥側に、２つの孔（２ａ’），（２ａ”）を形成したことを特徴とする請求項１記載の傘紐用ストラップ。
【請求項３】
ストラップ本体（１）の孔（２ｂ）より端部寄りに、この孔（２ｂ）に外側から内側へ通した傘紐（ｕ）の先側をストラップ本体（１）の内側から外側へ通すための別の孔（２ｂ’）をさらに形成することを特徴とする請求項１記載の傘紐用ストラップ。
【請求項４】
ストラップ本体（１）の両端部分が外側に湾曲させてあることを特徴とする請求項１から３のいずれか１項に記載の傘紐用ストラップ。
【発明の詳細な説明】
【技術分野】
【０００１】
本発明は、一本の傘紐に取り付けることができるものであって、湾曲しているストラップ本体を畳んだ傘の傘布の周囲に巻き付け得るようにしたものに関する。
【背景技術】
【０００２】
傘を閉じるに当っては、畳んだ傘の周囲に傘紐を巻き付けるのが普通である。しかしながら、畳んだ傘の周囲に傘紐を巻き付けるのが意外と面倒であり、また、雨に濡れた傘など駅構内や室内で手が濡れてしまうのも厄介である。したがって、もっと簡単な方法で手が濡れるのを極限に少なく傘を閉じることができれば、便利である。また、スナップボタンや面ファスナー等の傘紐の係止具が破損・劣化して通常の使用に支障が生じた場合でも、畳んだ傘に傘紐を巻き付けて傘布を縛る役割を果たすことができれば、有利である。
【０００３】
それを可能ならしめるべく、畳んだ傘に弾力性のあるリング状のクリップを巻き付けるもの（例えば、特許文献１参照）や、円弧状の板体を傘布に取り付けたもの（例えば、特許文献２参照）などが提案されている。
【０００４】
しかしながら、これらのものには弾力性、復元力があるとはいうものの、手持ちの傘に新たな加工を施すことなく従来の傘紐にそのまま取り付け得るものではない。また、従来の傘紐をそのまま使って傘本来のデザインを損なわずに使用し得るものでもない。
【先行技術文献】
【特許文献】
【０００５】
【特許文献１】特開平１０−２２５３１４号公報
【０００６】
【特許文献２】登録実用新案第３１３６０５４号公報
【発明の概要】
【発明が解決しようとする課題】
【０００７】
本発明は、このような欠点を解消するために、一本の傘紐に直接取り付けることができるものであって、湾曲しているストラップ本体を畳んだ傘の傘布の周囲に巻き付け得るようにしたものである。
【課題を解決するための手段】
【０００８】
すなわち、本発明では、一本の傘紐ｕに取り付けることができるものであって、湾曲可能な材料からなっていて湾曲しているストラップ本体１の両端のうちのいずれか一方の端部に、傘紐ｕを通すための孔２ａと、ストラップ本体１の他端付近に、ストラップ本体１の湾曲部３の外側に添わせた後の傘紐ｕの余端部ｕ２をストラップ本体１の外側から内側へ通すための孔２ｂとを、形成したものである。
【０００９】
本発明による傘紐用ストラップによれば、ストラップ本体１の両端のうちのいずれか一方の端部に形成されている孔２ａに、傘紐ｕをストラップ本体１の内側から外側へ通し、次いで、前記傘紐ｕの付け根までストラップ本体１をスライドさせ、前記傘紐ｕの付け根より先側を前記ストラップ本体１の湾曲部３の外側に添わせるとともに、ストラップ本体１の他端付近に形成されている孔２ｂに、ストラップ本体１の湾曲部３の外側に添わせた後の傘紐ｕの余端部ｕ２をストラップ本体１の外側から内側へ通し、しかる後、傘紐ｕの付け根まで来るように傘紐ｕの先側を引っ張ってストラップ本体１をくるっと回すことで、湾曲している本ストラップを畳んだ傘の傘布ｕ’の周囲に巻き付けることができる。
【００１０】
このように、本発明の傘紐用ストラップは手持ちの傘に新たな加工を施すことなく従来の傘紐にそのまま取り付けることができる。また、従来の傘紐をそのまま使って傘本来のデザインを損なわずに使用することができる。取り付け、取り外しも極めて簡単である。さらに、畳んだ傘の傘布の周囲に本ストラップを巻き付けた場合において、傘紐ｕの付け根側のスナップボタンと傘紐ｕの先端側のスナップボタンとを、あるいは、傘紐ｕの付け根側の面ファスナーと傘紐ｕの先端側の面ファスナーとを止めれば、本ストラップを傘紐に取り付けていることが目立たない。
【００１１】
ストラップ本体１の孔２ａより奥側に、２つの孔２ａ’，２ａ”を形成することが望ましい。このようにした場合には、ストラップ本体１の両端のうちのいずれか一方の端部に形成されている孔２ａに、傘紐ｕをストラップ本体１の外側から内側へ通し、前記孔２ａの隣の孔２ａ’から外側に臨ませた後、その隣にある孔２ａ”から再び内側に差し込んで、さらに前記孔２ａから外側に臨ませ、しかる後ストラップ本体１の端部からさらに内側に差し込んで一番奥に位置する前記孔２ａ”から外側に臨ませる。そして、傘紐ｕの余端部を湾曲しているストラップ本体１の湾曲部３の外側に添わせるとともに、上述した場合と同様に、ストラップ本体１の他端付近に形成されている孔２ｂに、ストラップ本体１の湾曲部３の外側に添わせた後の傘紐ｕの余端部ｕ２をストラップ本体１の外側から内側へ通し、しかる後、傘紐ｕの付け根まで来るように傘紐ｕの先側を引っ張ってストラップ本体１をくるっと回すことで、湾曲している本ストラップを畳んだ傘の傘布ｕ’の周囲に巻き付けることができる。
【００１２】
このように、ストラップ本体１の両端のうちのいずれか一方の端部に形成されている孔２ａに、傘紐ｕをストラップ本体１の外側から内側へ通し、前記孔２ａの隣の孔２ａ’から外側に臨ませた後、その隣にある孔２ａ”から再び内側に差し込んで、さらに前記孔２ａから外側に臨ませ、しかる後ストラップ本体１の端部からさらに内側に差し込んで一番奥に位置する前記孔２ａ”から外側に臨ませた場合には、傘紐ｕの先側に取り付けられているスナップボタンｃや面ファスナーｃ’がたとえ壊れていたとしても、ストラップ本体１を傘紐ｕにしっかり留めることができるとともに、ストラップ本体１を傘紐ｕの一部として代用することができる。
【００１３】
ストラップ本体１に対して傘紐ｕをこのように巻き付けた場合には、傘紐ｕの先側に取り付けられているスナップボタンｃや面ファスナーｃ’がたとえ壊れていたとしても、ストラップ本体１を傘紐ｕにしっかり留めることができるので、ストラップ本体１を傘紐ｕの一部として代用することができる。
【００１４】
ストラップ本体１の孔２ｂより端部寄りに、この孔２ｂに外側から内側へ通した傘紐ｕの先側をストラップ本体１の内側から外側へ通すための別の孔２ｂ’をさらに形成することが望ましい。このようにした場合には、傘紐ｕが通常の場合よりもかなり長い場合において、前記孔２ｂに外側から内側へ通した後の傘紐ｕの先側を、前記孔２ｂ’からストラップ本体１の外側へ向けて臨ませることができる。したがって、ストラップ本体１の湾曲部３の外側に添わせた通常の場合よりもかなり長い傘紐ｕが前記湾曲部３から外れにくいのみならず、傘紐ｕから本ストラップが妄りに外れるのを防止することができる。
【００１５】
ストラップ本体１の両端部分が、図１において符号５で示すように、外側に湾曲させてあることが望ましい。このようにした場合には、傘紐ｕの先側を引っ張ってストラップ本体１をくるっと回したとき、湾曲している本ストラップを畳んだ傘の傘布ｕ’の周囲に極めて簡単に巻き付けることができる。
【発明の効果】
【００１６】
請求項１記載の傘紐用ストラップを傘紐ｕに取り付ければ、畳んだ傘の傘布の周囲に巻き付けることができる。この場合において、手持ちの傘に新たな加工を施すことなく従来の傘紐にそのまま取り付けることができる。また、従来の傘紐をそのまま使って傘本来のデザインを損なわずに使用することができる。取り付け、取り外しも極めて簡単である。さらに、畳んだ傘の傘布の周囲に本ストラップを巻き付けた場合において、傘紐ｕの付け根側のスナップボタンと傘紐ｕの先端側のスナップボタンとを、あるいは、傘紐ｕの付け根側の面ファスナーと傘紐ｕの先端側の面ファスナーとを止めれば、本ストラップを傘紐に取り付けていることが目立たないという特長もある。
【００１７】
請求項２記載の傘紐用ストラップによれば、ストラップ本体１の両端のうちのいずれか一方の端部に形成されている孔２ａに、傘紐ｕをストラップ本体１の外側から内側へ通し、前記孔２ａの隣の孔２ａ’から外側に臨ませた後、その隣にある孔２ａ”から再び内側に差し込んで、さらに前記孔２ａから外側に臨ませ、しかる後ストラップ本体１の端部からさらに内側に差し込んで一番奥に位置する前記孔２ａ”から外側に臨ませることで、傘紐ｕの先側に取り付けられているスナップボタンｃや面ファスナーｃ’がたとえ壊れていたとしても、ストラップ本体１を傘紐ｕにしっかり留めることができるとともに、ストラップ本体１を傘紐ｕの一部として代用することができる。
【００１８】
請求項３記載の発明によれば、本ストラップの湾曲部３の外側に添わせた通常の場合よりもかなり長い傘紐ｕが前記湾曲部３から外れにくいのみならず、傘紐ｕから本ストラップが妄りに外れるのを防止することができる。
【００１９】
請求項４記載の発明によれば、傘紐の先側を引っ張ってストラップ本体１をくるっと回したとき、湾曲している本ストラップを畳んだ傘の傘布ｕ’の周囲に極めて簡単に巻き付けることができる。
【図面の簡単な説明】
【００２０】
【図１】本発明による傘紐用ストラップの一例を示すもので、(a)はその斜視図、(b)はストラップ本体を湾曲させる前の状態を示す図である。
【図２】本発明による傘紐用ストラップの別の一例を示すもので、(a)はその斜視図、(b)はストラップ本体を湾曲させる前の状態を示す図である。
【図３】図１に示す傘紐用ストラップを傘紐に取り付ける状況の一例を示す横断面図である。
【図４】図１に示す傘紐用ストラップを傘紐に取り付ける第一の段階を示す斜視図である。
【図５】図１に示す傘紐用ストラップを傘紐に取り付ける第二の段階を示す斜視図である。
【図６】図１に示す傘紐用ストラップを傘紐に取り付ける第三の段階を示す斜視図である。
【図７】図１に示す傘紐用ストラップを傘紐に取り付ける第四の段階を示す斜視図である。
【図８】図１に示す傘紐用ストラップを傘紐に取り付ける第五の段階を示す斜視図である。
【図９】図１に示す傘紐用ストラップを傘紐に取り付けた状態を別の角度から示す斜視図である。
【図１０】傘紐の端を持って、図１に示す傘紐用ストラップを畳んだ傘の傘布の周囲に巻き付ける様子を示す斜視図である。
【図１１】図１０の状態から、図１に示す傘紐用ストラップを畳んだ傘の傘布の周囲にくるっと巻き付ける様子を示す斜視図である。
【図１２】傘紐の端を持って、図１に示す傘紐用ストラップを畳んだ傘の傘布の周囲に巻き付ける様子を示す斜視図である。
【図１３】図１２の状態から、図示されていない傘紐の付け根側のスナップボタンと傘布の先端側のスナップボタンとを、あるいは、傘紐の付け根側の面ファスナーと傘布の先端側の面ファスナーとを止めたストラップ装着後の状態を示す斜視図である。
【図１４】図２に示す傘紐用ストラップを傘紐に取り付ける状況の一例を示す横断面図である。
【図１５】図２に示す傘紐用ストラップを傘紐に取り付ける第一の段階を示す斜視図である。
【図１６】図２に示す傘紐用ストラップを傘紐に取り付ける第二の段階を示す斜視図である。
【図１７】図２に示す傘紐用ストラップを傘紐に取り付ける第三の段階を示す斜視図である。
【図１８】図２に示す傘紐用ストラップを傘紐に取り付ける第四の段階を示す斜視図である。
【図１９】図２に示す傘紐用ストラップを傘紐に取り付ける第五の段階を示す斜視図である。
【図２０】図２に示す傘紐用ストラップを傘紐に取り付ける第六の段階を示す斜視図である。
【図２１】図２に示す傘紐用ストラップを傘紐に取り付けた状態を別の角度から示す斜視図である。
【図２２】傘紐の端を持って、図２に示す傘紐用ストラップを畳んだ傘の傘布の周囲に巻き付ける様子を示す斜視図である。
【図２３】図２２の状態から、図示されていない傘紐の付け根側のスナップボタンと傘布の先端側のスナップボタンとを、あるいは、傘紐の付け根側の面ファスナーと傘布の先端側の面ファスナーとを止めたストラップ装着後の状態を示す斜視図である。
【発明を実施するための形態】
【００２１】
本発明による傘紐用ストラップの一例を、図面に基いて詳細に説明する。本ストラップＳは一本の傘紐ｕに取り付けることができるものであって、ストラップ本体１がナイロンやシリコーンその他の湾曲可能な材料からなっており、図１(b)の状態から図１(a)、図２に示すようにストラップ本体１を湾曲させたものである。このストラップ本体１の両端１ａ，１ｂ付近には、傘紐ｕを通すための孔２ａ，２ｂがそれぞれ形成されている。
【００２２】
図１(a)、図２に示すように湾曲している前記ストラップ本体１の両端のうち、いずれか一方の端部、例えば１ａで示す端部、に形成されている孔２ａの内側から外側に傘紐ｕを通し（図３、図４）、次いで、前記傘紐ｕの付け根ｕ１までストラップ本体１をスライドさせる（図５、図６）。その際、両図に示すように、前記傘紐ｕの付け根ｕ１のスナップボタンｃあるいは面ファスナーｃ’が湾曲している前記ストラップ本体１から外側に現われるようにする。そして、前記傘紐ｕの付け根ｕ１より先側を前記ストラップ本体１の湾曲部３の外側に添わせる（図７〜図１０）とともに、前記傘紐ｕの先端側である余端部ｕ２を前記ストラップ本体１の他端１ｂ付近に形成されている孔２ｂに外側から通す（図３、図７）。しかる後、傘紐ｕの付け根ｕ１まで来るように傘紐ｕの先側を引っ張ってストラップ本体１を図１１の状態を経て図１２に示すようにくるっと回すことで、湾曲している本ストラップＳを畳んだ傘Ｕの傘布ｕ’の周囲に巻き付けることができる（図１３）。
【００２３】
このように、本ストラップＳは手持ちの傘に新たな加工を施すことなく従来の傘紐にそのまま取り付けることができる。また、従来の傘紐をそのまま使って傘本来のデザインを損なわずに使用することができる。取り付け、取り外しも極めて簡単である。さらに、本ストラップＳを傘紐ｕに取り付けていることが目立たないという特長もある。
【００２４】
ここに例示されているストラップＳにあっては、図２(a)，(b)に示すように、ストラップ本体１の孔２ａより奥側に、２つの孔２ａ’，２ａ”が形成されている。この場合には、ストラップ本体１の両端のうちのいずれか一方の端部、例えば１ａで示す端部、に形成されている孔２ａに、傘紐ｕをストラップ本体１の外側から内側へ通し（図１４、図１５）、両図に示すように、前記孔２ａの隣の孔２ａ’から外側に臨ませた後、その隣にある孔２ａ”から再び内側に差し込み、さらに、図１６、図１７に示すように前記孔２ａから外側に臨ませ、しかる後、両図に示すように、ストラップ本体１の端部１ａからさらに内側に差し込んで一番奥に位置する前記孔２ａ”から外側に臨ませる（図１４、図１７）。そして、図１８〜図２０に示すように、傘紐ｕの余端部を湾曲しているストラップ本体１の湾曲部３の外側に添わせるとともに、上述した場合と同様に、ストラップ本体１の他端付近に形成されている孔２ｂに、ストラップ本体１の湾曲部３の外側に添わせた後の傘紐ｕの余端部ｕ２をストラップ本体１の外側から内側へ通し、しかる後、傘紐ｕの付け根まで来るように傘紐ｕの先側を引っ張ってストラップ本体１を図２１の状態を経て図２２に示すようにくるっと回すことで、湾曲している本ストラップを畳んだ傘の傘布ｕ’の周囲に巻き付けることができる（図２３）。
【００２５】
このように、ストラップ本体１の両端のうちのいずれか一方の端部に形成されている孔２ａに、傘紐ｕをストラップ本体１の外側から内側へ通し、前記孔２ａの隣の孔２ａ’から外側に臨ませた後、その隣にある孔２ａ”から再び内側に差し込んで、さらに前記孔２ａから外側に臨ませ、しかる後、ストラップ本体１の端部からさらに内側に差し込んで一番奥に位置する前記孔２ａ”から外側に臨ませた場合には、傘紐ｕの先側に取り付けられているスナップボタンｃや面ファスナーｃ’がたとえ壊れていたとしても、ストラップ本体１を傘紐ｕにしっかり留めることができるとともに、ストラップ本体１を傘紐ｕの一部として代用することができる。
【００２６】
ストラップ本体１に対して傘紐ｕをこのように巻き付けた場合には、傘紐ｕの先側に取り付けられているスナップボタンｃや面ファスナーｃ’がたとえ壊れていたとしても、ストラップ本体１を傘紐ｕにしっかり留めることができるので、ストラップ本体１を傘紐ｕの一部として代用することができる。
【００２７】
また、ここに例示されているストラップＳにあっては、ストラップ本体１の孔２ｂより端部寄りに、この孔２ｂに外側から内側に通した傘紐ｕの先側を、ストラップ本体１の内側から外側へ通すための別の孔２ｂ’をさらに形成してある。ストラップ本体１の孔２ｂより端部寄りにこの孔２ｂ’が形成されていると、傘紐ｕが通常の場合よりもかなり長い場合において、前記孔２ｂに外側から内側へ通した後の傘紐ｕの先側である余端部ｕ２を、前記孔２ｂ’からストラップ本体１の外側へ向けて臨ませることができる。したがって、ストラップ本体１の湾曲部３の外側に添わせた通常の場合よりもかなり長い傘紐ｕが前記湾曲部３から外れにくいのみならず、傘紐ｕから本ストラップＳが妄りに外れるのを防止することができる。
【００２８】
また、ここに例示されているストラップＳにあっては、ストラップ本体１の両端部分１ａ，１ｂが、図１(a)及び図２(a)において符号５で示すように、外側に湾曲させてある。このようにした場合には、傘紐ｕの先側を引っ張って図１１、図２１の状態を経て図１２、図２２に示すように、ストラップ本体１をくるっと回したとき、湾曲している本ストラップＳの両端部分１ａ，１ｂにおいて外側に湾曲させてある間の開放部４が畳んだ傘Ｕへの嵌め込み口となり、畳んだ傘Ｕの傘布ｕ’の周囲に極めて簡単に本ストラップＳを巻き付けることができる。
【００２９】
図１２及び図２２では、傘紐ｕの付け根ｕ１側のスナップボタンｃと傘紐ｕの先端側のスナップボタンｃの図示が、また、傘紐ｕの付け根ｕ１側の面ファスナーｃ’と傘紐ｕの先端側の面ファスナーｃ’の図示が省略されているが、畳んだ傘Ｕの傘布ｕ’の周囲に本ストラップＳを巻き付けた場合において、図１２及び図２２に示すように傘紐ｕを畳んだ傘Ｕの傘布ｕ’の周囲に巻き付けた上で、図示されていない傘紐ｕの付け根ｕ１側のスナップボタンｃと傘紐ｕの先端側のスナップボタンｃとを、あるいは、図示されていない傘紐ｕの付け根ｕ１側の面ファスナーｃ’と傘紐ｕの先端側の面ファスナーｃ’とを止めれば、図１３及び図２３に示すように、本ストラップＳを傘紐ｕに取り付けていることが目立たない。
【００３０】
なお、図５、図６、図１０、図２０においては、傘紐ｕの付け根ｕ１側にスナップボタンｃと面ファスナーｃ’の両方が取り付けられている場合が例示されているが、傘紐ｕの付け根ｕ１側にはこれらのうちのいずれか一方が備えられておれば、傘紐ｕを畳んだ傘Ｕの傘布ｕ’の周囲に巻き付けることができる。この場合において、傘紐ｕの先端側には、付け根ｕ１側に対応するスナップボタンｃまたは面ファスナーｃ’のいずれか一方が備えられておれば良い。
【００３１】
ストラップ本体１の素材としては、ステンレス製のほかナイロンやシリコーンなどが考えられるが、これらのみに限定されるものではなく、湾曲可能な材料で湾曲させ得るものであれば様々な材質のものを適用できる。
【符号の説明】
【００３２】
１…ストラップ本体、１ａ，１ｂ…端部、２ａ，２ａ’，２ａ”，２ｂ，２ｂ’…孔、３…湾曲部、４…開放部、Ｓ…ストラップ、Ｕ…傘、ｕ…傘紐、ｕ１…付け根、ｕ２…余端部、ｕ’…傘布、ｃ…スナップボタン、ｃ’…面ファスナー。
【図１】
0006425144.tif 000002
【図２】
0006425144.tif 000003
【図３】
0006425144.tif 000004
【図４】
0006425144.tif 000005
【図５】
0006425144.tif 000006
【図６】
0006425144.tif 000007
【図７】
0006425144.tif 000008
【図８】
0006425144.tif 000009
【図９】
0006425144.tif 000010
【図１０】
0006425144.tif 000011
【図１１】
0006425144.tif 000012
【図１２】
0006425144.tif 000013
【図１３】
0006425144.tif 000014
【図１４】
0006425144.tif 000015
【図１５】
0006425144.tif 000016
【図１６】
0006425144.tif 000017
【図１７】
0006425144.tif 000018
【図１８】
0006425144.tif 000019
【図１９】
0006425144.tif 000020
【図２０】
0006425144.tif 000021
【図２１】
0006425144.tif 000022
【図２２】
0006425144.tif 000023
【図２３】
0006425144.tif 000024